(57)【要約】【課題】電子機器の種々の設置形態に対応して色々な方向の離れた場所からリモコンを操作することを可能とするようにリモコン受光装置を最適位置に配置可能とした電子機器を提供すること。【解決手段】本発明に係る電子機器は、リモコン受光部１１及び信号増幅部１２を備えたワイヤレスリモコン用のリモコン受光装置１０と、このリモコン受光装置１０を接続する制御部２２を収納した電子機器本体２０とを有する。また、リモコン受光装置１０は、電子機器本体２０に対し着脱自在に装着されるとともに、取り外された状態のときにリモコンケーブル３０により制御部２２に接続されている。そして、リモコン受光装置１０は、リモコンケーブル３０で制御部２２に接続された状態で電子機器本体２０の取付状態とは略関係なく自由な位置及び方向に取り付けられている。【選択図】図３
2011107209.tif 000002
【特許請求の範囲】
【請求項１】
リモコン受光部及び信号増幅部を備えたワイヤレスリモコン用のリモコン受光装置と、
前記リモコン受光装置を接続する制御部を収納した電子機器本体とを有し、
前記リモコン受光装置は、電子機器本体に対し着脱自在に装着されるとともに、取り外された状態のときにリモコンケーブルにより前記制御部に接続され、さらに、リモコンケーブルで前記制御部に接続された状態で電子機器本体の外表面部又は電子機器から離れた位置に配置可能に構成されている
ことを特徴とする電子機器。
【請求項２】
前記リモコン受光装置は、電子機器本体の外観形状に整合するように電子機器本体の一部に嵌め込まれる状態で装着されることを特徴とする請求項１記載の電子機器。
【請求項３】
前記リモコン受光装置は、磁力を利用して電子機器本体に装着されることを特徴とする請求項２記載の電子機器。
【請求項４】
前記リモコン受光装置は、電子機器本体の受光装置取付部の壁面に接する面に磁石が配置され、電子機器本体側の前記壁面には、強磁性体又は磁石が配置されていることを特徴とする請求項２又は３記載の電子機器。
【請求項５】
前記リモコン受光装置と電子機器本体の受光装置取付部との間に、両者の位置決めを行う係合部が形成されていることを特徴とする請求項２〜４の何れか１項に記載の電子機器。
【請求項６】
前記リモコンケーブルは、信号線、電源線及びＧＮＤ線からなることを特徴とする請求項１〜５の何れか１項に記載の電子機器。
【請求項７】
前記リモコンケーブルに接続された状態の前記リモコン受光装置を電子機器本体に装着可能とするように、電子機器本体には前記リモコンケーブルを収納するための収納部が設けられていることを特徴とする請求項１〜６の何れか１項に記載の電子機器。
【請求項８】
前記リモコンケーブルはリモコン受光装置側の端部に第１コネクタを備え、前記リモコン受光装置は前記第１コネクタに接続可能な受光側コネクタを備え、さらに、前記リモコン受光装置はこれらコネクタを介しリモコンケーブルに接続されることを特徴とする請求項１〜７の何れか１項記載の電子機器。
【請求項９】
前記リモコンケーブルは、前記制御部から直接導出されていることを特徴とする請求項１〜８の何れか１項に記載の電子機器。
【請求項１０】
前記リモコンケーブルは前記制御部側の端部に第２コネクタを備え、前記制御部はこの第２コネクタに接続可能な内部コネクタを備え、前記リモコンケーブルはこれらコネクタを介し前記制御部に接続されることを特徴とする請求項１〜８の何れか１項に記載の電子機器。
【請求項１１】
前記受光側コネクタと前記内部コネクタとは直接接続可能に構成されていることを特徴とする請求項１０記載の電子機器。
【請求項１２】
前記リモコンケーブルは、複数の長さが準備されていることを特徴とする請求項１０記載の電子機器。
【請求項１３】
前記受光側コネクタと前記第１コネクタとの間に接続される延長ケーブルが準備されていることを特徴とする請求項８〜１２の何れか１項に記載の電子機器。
【請求項１４】
前記第２コネクタと前記内部コネクタとの間に接続される延長ケーブルが準備されていることを特徴とする請求項１０又は１２記載の電子機器。
【請求項１５】
請求項８〜１２の何れか１項に記載の電子機器であって、ワイヤードリモコンを備えるとともに、前記第１コネクタがこのワイヤードリモコン接続用のコネクタを兼用することを特徴とする電子機器。
【請求項１６】
請求項１３又は１４記載の電子機器であって、ワイヤードリモコンを備えるとともに、前記延長ケーブルの先端のコネクタがワイヤードリモコン接続用のコネクタを兼用することを特徴とする電子機器。
【請求項１７】
請求項１〜１６の何れか１項に記載の電子機器は、短焦点距離の投写レンズを用いた投写型映像表示装置であることを特徴とする電子機器。
【発明の詳細な説明】
【技術分野】
【０００１】
本発明は、電子機器に係り、特に、リモコン操作される電子機器の設置性及びリモコンの操作性を向上させた電子機器に関する。
【背景技術】
【０００２】
電子機器の中には、一つ以上の設置形態を有するものがいろいろ存在する。その代表例として投写型映像表示装置を挙げることができる。投写型映像表示装置は、一般に床面や机などの台上に設置して壁面に投写する、天井吊に設置して壁面に投写するなどの設置形態がある。また、投写型映像表示装置の中でも近年普及しつつある短焦点距離の投写レンズを用いたものでは、専用の取付台を使用せずに直接に床面に設置して床面へ投写する設置形態や、鉛直壁体上に設置してこの壁体の壁面に投写するなどの新しい設置形態も現れている。このため、多設置形態で使用される投写型映像表示装置等の業界においては、デザインとの整合性を勘案しながら色々な離れた場所からのリモコン操作を可能とするとともに、蛍光灯などからの赤外線ノイズの影響を軽減する種々の方策がこれまでに行われている。その例を以下に挙げる。
【０００３】
特許文献１は、投写型映像表示装置のリモコン受光装置の光線導入部に透孔を有する遮光板を設け、投写型映像表示装置の設置形態により遮光板を移動させることにより透光の位置を調整して、リモコンからの赤外線信号を受光可能にしながら蛍光灯等からのノイズの受光を防止するようにしたものである。
【０００４】
特許文献２は、投写型映像表示装置の投写レンズを保護する開閉自在なレンズカバーを有するものであって、レンズカバーの開状態のときの露出面にリモコン受光部を設けるとともに、開状態のレンズカバーを水平方向及び垂直方向に回転自在としたものである。そして、投写型映像表示装置の設置形態によりレンズカバーを水平及び垂直方向に回転させて、ノイズを受光することなくリモコンからの赤外線信号を受光できるようにリモコン受光部の向きを調整している。
【０００５】
特許文献３は、特許文献２と同様レンズカバーの露出面にリモコン受光部を設けるとともにこのレンズカバーを着脱自在とし、さらにレンズカバーの脱状態のときにレンズカバーをリモコン受光部として取り付けることのできるコネクタをこの投写型映像表示装置の筺体の複数箇所に設けている。そして、投写型映像表示装置の設置形態によりレンズカバーの取付位置を選択して、ノイズを受光することなくリモコンからの赤外線信号を受光可能とするようにリモコン受光部の向きを調整している。
【０００６】
特許文献４は、電子機器のリモコンに関するものであって、ワイヤードリモコンを装着可能とする電子機器本体側のリモコン用ジャック（リモコン端子）に、ワイヤレスリモコンの受信部のプラグを差込み可能としたものである。これによりワイヤードリモコン用ジャックを利用してワイヤレスリモコンの受信部を接続してワイヤレスリモコンによる受信を可能としたものである。
【先行技術文献】
【特許文献】
【０００７】
【特許文献１】特開２０００−４９３６４号公報
【特許文献２】特開２００８−２５６９６４号公報、図１
【特許文献３】特開２００８−２５６９６４号公報、図２、図３
【特許文献４】実開昭６０−１８４３８３号公報
【発明の概要】
【発明が解決しようとする課題】
【０００８】
特許文献１の技術では、リモコン受光部が１個所しか設けられていないので、色々な方向の離れた場所からリモコンを操作することができない。また、遮光板の移動による透光の位置調整ではノイズの受光を防ぐことが困難な場合がある。
【０００９】
特許文献２の技術では、開状態のレンズカバーの水平方向及び垂直方向への回転のみでは特許文献１の場合と同様、色々な方向の離れた場所からリモコンを操作することができない場合がある。また、遮光板の移動による透光の位置調整ではノイズの受光を防ぐことが困難な場合がある。
【００１０】
特許文献３の技術では、コネクタを多数設けると、色々な方向の離れた場所からリモコンを操作することが可能となるが、このようにすると、コストが嵩むばかりでなく、投写型映像表示装置の外観デザインとの整合性が低下し、著しく見栄えが悪化するという問題がある。
【００１１】
特許文献４の技術では、ワイヤレスリモコンとワイヤードリモコンとの併用が可能となることにより、リモコンの使用勝手を向上させることができるが、色々な方向の離れた場所からリモコン操作をすることができないという問題を解決するものではない。
【００１２】
このように従来の技術においては、色々な方向の離れた場所からリモコンを操作することを可能とする点において未だ十分なものが開発されていなかった。
本発明は、このような事情に鑑み、電子機器の種々の設置形態に対応して色々な方向の離れた場所からリモコンを操作することを可能とするようにリモコン受光装置を最適位置に配置可能とした電子機器を提供することを目的とする。
【課題を解決するための手段】
【００１３】
本発明に係る電子機器は、このような目的を達成するために成されたものであって、リモコン受光部及び信号増幅部を備えたワイヤレスリモコン用のリモコン受光装置と、このリモコン受光装置を接続する制御部を収納した電子機器本体とを有し、前記リモコン受光装置は、電子機器本体に対し着脱自在に装着されるとともに、取り外された状態のときにリモコンケーブルにより前記制御部に接続され、さらに、リモコンケーブルで前記制御部に接続された状態で電子機器本体の外表面部又は電子機器から離れた位置に配置可能に構成されていることを特徴とする。上記構成によれば、リモコン受光装置は、電子機器本体に対し着脱自在に取り付けられ、取り外された状態のときにリモコンケーブルにより前記制御部に接続されているので、リモコンケーブルに接続された状態を維持できる範囲で移動可能である。例えば、リモコン受光装置を電子機器の外表面部に取り付けてもよいし、電子機器から離れた位置でもよいとされるので、操作者の位置に合わせてリモコン受光装置の最適取付位置を選択するとともにその向きを調節することができる。また、リモコン受光装置で受光されたワイヤレスリモコンからの赤外線信号は、リモコン受光装置内の増幅器により増幅されるので、リモコン受光装置が電子機器から離れた位置にあっても、リモコンケーブルを介し確実に制御部へ伝達することができる。
【００１４】
また、前記リモコン受光装置は、電子機器本体の外観形状に整合するように電子機器本体の一部に嵌め込まれる状態で装着されることが好ましい。このように構成すると、リモコン受光装置がデザイン的に電子機器本体に整合されるため、違和感を与えない。
【００１５】
また、前記リモコン受光装置は、磁力を利用して電子機器本体に装着されることが好ましい。このように構成すると、リモコン受光装置の取付位置がずれたり、外れて落下したりする恐れがなくなる。
【００１６】
また、前記リモコン受光装置は、電子機器本体の受光装置取付部の壁面に接する面に磁石が配置され、電子機器本体側の前記壁面には、強磁性体又は磁石が配置されていることが好ましい。このように構成すると、電子機器に装着した場合には強固に取り付けられるので、外れたり位置がずれたりすることがない。また、リモコン受光装置を種々の場所に取り付ける場合に、リモコン受光装置に磁石が取り付けられているため、鉄系材料などの磁性体からなる構造物や他の装置の外表面などに容易に取り付けることができる。
【００１７】
前記リモコン受光装置と電子機器本体の受光装置取付部との間に、両者の位置決めを行う係合部が形成されていることが好ましい。このようにすると、リモコン受光装置を取り付けるときに係合部により位置決めされるので、取付手間が簡略化される。
【００１８】
前記リモコンケーブルは、信号線、電源線及びＧＮＤ線からなることが好ましい。このように構成すると、電子機器本体の電源、ＧＮＤ線を利用してリモコン受光装置を機能させることができるので、リモコン受光装置の構成を簡略化することができる。
【００１９】
前記リモコンケーブルに接続された状態で前記リモコン受光装置を電子機器本体に装着可能とするように、電子機器本体には前記リモコンケーブルを収納する収納部が設けられていることが好ましい。このように構成すると、リモコン受光装置と電子機器本体内の制御部とを接続するリモコンケーブルを収納する収納部を備えていえるので、リモコン受光装置を電子機器本体に対し納まりよく装着することができる。
【００２０】
前記リモコンケーブルはリモコン受光装置側の端部に第１コネクタを備え、前記リモコン受光装置は前記第１コネクタに接続可能な受光側コネクタを備え、さらに、前記リモコン受光装置はこれらコネクタを介しリモコンケーブルに接続されることが好ましい。このよう構成すると、リモコン受光装置の修理等の際にリモコン受光装置を電子機器本体から容易に取り外すことができ便利である。また、リモコン受光装置とリモコンケーブルとの間に延長ケーブルを接続することもできる。
【００２１】
前記リモコンケーブルは、前記制御部から直接導出される構成としてもよい。このように構成した場合は、リモコンケーブルの長さに制約される範囲内でリモコン受光装置を適宜の場所に取り付けることを選択することができ、これにより、リモコン受光装置の取付範囲を拡げることができる。
【００２２】
また、前記リモコンケーブルは前記制御部側の端部に第２コネクタを備え、前記制御部はこの第２コネクタに接続可能な内部コネクタを備え、前記リモコンケーブルはこれらコネクタを介し前記制御部に接続されることが好ましい。このように構成すると、リモコンケーブルと制御部との間に延長ケーブルを接続することができる。また、長さの異なるリモコンケーブルに変更できる。
【００２３】
この場合に、前記受光側コネクタと前記内部コネクタとは直接接続可能に構成されているようにすることもできる。このように構成されていると、リモコンケーブルを取り外して接続することができるので、接続されたリモコンケーブルを電子機器本体内に収納する収納部が不要となる。
【００２４】
また、この場合に、前記リモコンケーブルは、複数の長さが準備されていることが好ましい。このように準備されていると、リモコン受光装置の取付位置に合うリモコンケーブルの長さを選択することができる。
【００２５】
また、前記のように、前記リモコンケーブルはリモコン受光装置側の端部に第１コネクタを備え、前記リモコン受光装置はこの第１コネクタに接続可能な受光側コネクタを備え、さらに、この受光側コネクタと前記第１コネクタとの間に接続されるための延長ケーブルが準備されているようにしてもよい。このようにすれば、リモコン受光装置を電子機器本体から遠い位置に容易に取り付けることができる。
【００２６】
また、前記のように、前記リモコンケーブルは前記制御部側の端部に第２コネクタを備え、前記制御部はこの第２コネクタに接続可能な内部コネクタを備え、さらに、この第２コネクタと前記内部コネクタとの間に接続されるための延長ケーブルが準備されているようにしてもよい。このようにすれば、リモコン受光装置を電子機器本体から遠い位置に容易に取り付けることができる。
【００２７】
また、前記のように、前記リモコンケーブルはリモコン受光装置側の端部に第１コネクタを備え、前記リモコン受光装置は前記第１コネクタに接続可能な受光側コネクタを備え、さらに、前記リモコン受光装置はこれらコネクタを介しリモコンケーブルに接続される電子機器であって、ワイヤードリモコンを備えるとともに、前記第１コネクタがこのワイヤードリモコン接続用のコネクタを兼用するように構成されていてもよい。このようにすると、１個の第１コネクタに対しリモコン受光装置とワイヤードリモコンとを接続することができる。
【００２８】
また、前記のように、延長ケーブルを接続可能とした電子機器であって、ワイヤードリモコンを備えるとともに、前記延長ケーブルの先端のコネクタがこのワイヤードリモコン接続用のコネクタを兼用するように構成されていてもよい。このようにすると、延長ケーブルの先端の１個のコネクタに対しリモコン受光装置とワイヤードリモコンとを接続することができる。
【００２９】
上記の特徴を備えた電子機器が短焦点距離の投写レンズを用いた投写型映像表示装置であるようにしてもよい。短焦点距離の投写レンズを用いた投写型映像表示装置は、多様な取付態様で使用されるため、リモコン受光装置の取付位置もより多様化するが、本発明を適用することによりこのような用途に容易に対応することが可能となる。
【発明の効果】
【００３０】
本発明に係る電子機器によれば、操作者の位置に合わせてリモコン受光装置の最適取付位置を選択するとともにその向きを調節することができる。また、リモコン受光装置で受光されたリモコン信号は増幅器により増幅されるので、リモコン受光装置が電子機器から離れた位置にあっても、リモコンケーブルを介し確実に制御部へ伝達することができる。
【図面の簡単な説明】
【００３１】
【図１】本発明の実施の形態１に係る投写型映像表示装置の外観斜視図である。
【図２】同投写型映像表示装置において、リモコン受光部を電子機器から取り外した状態の外観斜視図である。
【図３】同投写型映像表示装置の機能ブロック図である。
【図４】同投写型映像表示装置におけるリモコン受光装置の概略的構成図である。
【図５】本発明の実施の形態２に係る投写型映像表示装置の機能ブロック図である。
【図６】本発明の実施の形態３に係る投写型映像表示装置におけるリモコン受光装置の取付状態図であって、（ａ）はリモコン受光装置の装着状態図であり、（ｂ）はリモコン受光装置を取り外した直後の状態図であり、（ｃ）はリモコン受光装置を取り外してリモコンケーブルで接続した状態図である。
【図７】本発明の実施の形態４に係る投写型映像表示装置の外観斜視図である。
【図８】本発明の実施の形態５に係る投写型映像表示装置の外観斜視図である。
【発明を実施するための形態】
【００３２】
以下、本発明の実施の形態１に係る電子機器としての投写型映像表示装置について図１〜図４を参照しながら説明する。以下の説明において前後、左右、上下の各方向をいうときは、図１における左手前側を前方向とし、この図１における前面側から見て上下左右の方向をいうものとする。
【００３３】
この実施の形態に係る電子機器としての投写型映像表示装置は、ワイヤレスリモコンにより操作できるように構成されたものであって、図１に示すように、略直方体形状のリモコン受光装置１０が電子機器本体２０の前部の右上方角部に着脱自在に装着されている。なお、電子機器本体２０の前面には、前方に映像を投射するための投写レンズ２１ｆが配置されている。また、リモコン受光装置１０は、電子機器本体２０から取り外された状態においてリモコンケーブル３０で接続され、ワイヤレスリモコン１０Ａからの赤外線信号を受信できるように構成されている。
【００３４】
次に、外観から見て上記のように構成される投写型映像表示装置の各部についてより具体的に説明する。
リモコン受光装置１０は、図３のこの投写型映像表示装置の概略構成図に示すように、ワイヤレスリモコン１０Ａからの赤外線信号を電気信号に変換するリモコン受光部１１と、リモコン受光部１１で受信された信号を増幅する信号増幅部１２と、リモコンケーブル３０を接続する受光側コネクタ１３とから構成されている。
【００３５】
また、リモコン受光装置は、図４に示すように略直方体の筐体１０ａを備えたものであって、内部に増幅回路等を構成した基板１４が設けられ、一端側にリモコン受光部１１が設けられ、他端側に受光側コネクタ１３が設けられている。リモコン受光部１１は、受光窓１１ａ、赤外線信号を電気信号に変換する受光素子１１ｂ等から構成されている。そして、この受光素子１１ｂは基板１４上に形成されている増幅回路に接続されている。また、受光側コネクタ１３は、雄型のコネクタに形成され、このコネクタによるリモコンケーブル３０との接続部を収容するためのスペース１５が筐体１０ａの一端側を窪ませて形成されている。また、このリモコン受光装置１０の内部底面には板状の磁石１６が配置されている。
【００３６】
一方、電子機器本体２０には、図３に示すように、光源ランプ２１ａ、インテグレータレンズ２１ｂ、コンデンサーレンズ２１ｃ、液晶パネル２１ｄ、ダイクロイックプリズム２１ｅ、投写レンズ２１ｆなどからなる光学系２１が収納されている。この投写型映像表示装置は、３板式液晶型投写型映像表示装置であって、液晶パネル２１ｄは図３の模式図では１個しか示していないが、赤色光用、緑色光用、及び青色光用の３個が用いられている。また、この投写型映像表示装置には、このような光学系２１や映像信号処理を行うための制御部２２が搭載されており、制御部２２からはリモコン受光装置１０を接続するためのリモコンケーブル３０が直接的に引き出されている。
【００３７】
また、この投写型映像表示装置の電子機器本体２０は、図２に示すように、前部の上方角部に略直方体形状のリモコン受光装置１０を嵌め込むための略直方体の窪み部からなる受光装置取付部２３が形成されている。この受光装置取付部２３には、奥側の壁面２３ａの隅部からリモコンケーブル３０が導出されている。また、この受光装置取付部２３と制御部２２との間に位置する受光装置取付部２３の奥側には、図３に示すように、リモコン受光装置１０を電子機器本体２０に装着したときにリモコンケーブル３０を折り畳んで収納する収納部２４が形成されている。そして、受光装置取付部２３の奥側の壁面２３ａは、リモコン受光装置１０の装着時にリモコンケーブル３０を収納部２４に収納できるようにするために、開閉自在に形成されている。
【００３８】
また、この受光装置取付部２３には、リモコン受光装置１０を正確に外れ難く取り付けることができるように、リモコン受光装置１０に形成された係合凹部（図示せず）に係合する複数の係合突部２５が形成されている。また、受光装置取付部２３の底面には、リモコン受光装置１０を磁力により取り付けるための強磁性体２６が貼り付けられている。強磁性体２６としてはステンレス板が用いられている。なお、このステンレス板から成る強磁性体２６は、受光装置取付部２３の底面から突出しないように、底面にこのステンレス板を埋め込むための薄い凹部が形成され、この凹部にステンレス板が嵌めこまれて貼り付けられている。このように形成されていることにより、リモコン受光装置１０の装着時及びリモコン受光装置１０の取り外し時に、電子機器本体２０のデザインとの整合性が保持されている。
【００３９】
リモコンケーブル３０は、リモコン受光装置側の端部に受光側コネクタ１３と接続するための第１コネクタ３１が設けられている。この第１コネクタ３１は雌型コネクタに形成されている。また、リモコンケーブルは、信号線、電源線、及び信号線の三つの線で構成されている。これにより、リモコン受光装置１０は、電子機器本体２０から供給される電力により駆動されるとともに、受信したリモコンからの赤外線信号をリモコンケーブル３０を介し電子機器本体２０の制御部２２へ伝達している。
【００４０】
実施の形態１に係る投写型映像表示装置は以上のように構成されているので、リモコン受光装置１０は次のように取り扱われる。
リモコン受光装置１０を電子機器本体２０の受光装置取付部２３に装着した状態としても、蛍光灯等からのノイズ障害を受けることがなく、かつ、ワイヤレスリモコン１０Ａからの赤外線信号が確実に受光される場合には、リモコン受光装置１０は、電子機器本体２０の受光装置取付部２３に装着された状態で使用される。
【００４１】
一方、リモコン受光装置１０を電子機器本体２０の受光装置取付部２３に装着した状態とすると、蛍光灯等からのノイズを受光する恐れがある場合、或いは、ワイヤレスリモコン１０Ａからの赤外線信号を方向の相違により受光できない恐れがある場合には、リモコン受光装置１０が受光装置取付部２３から取り外される。そして、リモコン受光装置１０が電子機器本体２０の外表面や、電子機器本体２０の取付金具や、電子機器本体２０周辺の建築物や、他の設備の外表面などの適宜の位置に取り付けられる。また、蛍光灯等のノイズを受光しないように、或いは、操作者が操作するワイヤレスリモコン１０Ａからの赤外線信号を確実に受光できるように、リモコン受光装置１０の位置と向きとが調整される。例えば、投写型映像表示装置を天井に設置した際、真下からのワイヤレスリモコン操作に最適にしたい場合には、リモコン受光装置１０の受光窓１１ａを真下に向けて配置すればよい。このようにリモコン受光装置１０を投写型映像表示装置の設置状態にほぼ依存することなく、最適に設置することができる。なお、電子機器本体２０の受光装置取付部２３に対するリモコン受光装置１０の着脱は、リモコンケーブル３０を装着したままで行われる。
【００４２】
この実施の形態に係る電子機器は、以上のように構成されているので、次のような作用効果を奏することができる。
（１）リモコン受光装置１０は、電子機器本体２０に対し着脱自在に取り付けられ、リモコンケーブル３０に接続された状態を維持できる範囲で移動可能であるので、投写型映像表示装置の設置状態とは略関係なく、最適に設置することができる。
【００４３】
（２）また、リモコン受光装置１０で受光されたワイヤレスリモコン１０Ａからの赤外線信号は、リモコン受光装置１０内の増幅器により増幅されるので、リモコン受光装置１０がリモコンケーブル３０で接続されて電子機器本体２０から離れた位置にあっても、正確に電子機器本体２０内の制御部２２へ伝達することができる。
【００４４】
（３）リモコン受光装置１０は、電子機器本体２０の外観形状に整合するように電子機器本体２０の一部に嵌め込まれる状態で装着されるので、リモコン受光装置１０がデザイン的に電子機器本体２０に整合されるため、違和感を与えることがない。
【００４５】
（４）リモコン受光装置１０は、磁力を利用して電子機器本体２０に装着されるので、リモコン受光装置１０の取付位置がずれたり、外れて落下したりする恐れがない。
（５）リモコン受光装置１０は、電子機器本体２０の受光装置取付部２３の底面に接する面の内側に板状の磁石１６が配置され、電子機器本体２０の底面の内側には、ステンレス板からなる強磁性体２６が配置されている。したがって、リモコン受光装置１０を電子機器本体２０に装着した場合に強固に取り付けられるので、外れたり位置がずれたりすることがない。また、リモコン受光装置１０を種々の場所に取り付ける場合に、リモコン受光装置１０に磁石１６が取り付けられているため、鉄系材料などの磁性体からなる構造物や他の装置の外表面などに容易に取り付けることができる。このような場合には、別途リモコン受光装置１０を取り付けるための取付手段を準備する必要がないので便利である。また、磁石１６による固定が不可能な物体に取り付ける場合であっても、取付手段に磁性体を設ければリモコン受光装置１０を取付手段に容易に取り付けることができる。したがって、取付手段をこのように構成することにより、取付手段の構成を簡略化することができる。
【００４６】
（６）リモコン受光装置１０と電子機器本体２０の受光装置取付部２３との間に、両者の位置決めを行う係合突部２５などの係合部が形成されているので、リモコン受光装置１０を取り付けるときに、この係合部によりリモコン受光装置１０が位置決めされる。したがって、リモコン受光装置１０の取付手間が簡略化される。
【００４７】
（７）リモコンケーブル３０は、信号線、電源線及びＧＮＤ線からなるので、電子機器本体２０の電源、ＧＮＤ線を利用してリモコン受光装置１０を機能させることができるので、リモコン受光装置１０の構成を簡略化することができる。
【００４８】
（８）電子機器本体２０にリモコンケーブル３０を収納する収納部２４が設けられているので、リモコン受光装置１０と電子機器本体２０内の制御部２２とがリモコンケーブル３０により接続されたまま、リモコン受光装置１０を電子機器本体２０に対し体裁よく着脱自在とすることができ、取り扱いが容易になる。
【００４９】
（９）リモコンケーブル３０は制御部２２から直接導出されるが、リモコンケーブル３０の長さの範囲内でリモコン受光装置１０を適宜の場所に取り付けることができる。したがって、リモコン受光装置１０の取付範囲を拡げ、リモコン操作可能な範囲を拡げることができる。
【００５０】
（１０）リモコンケーブル３０はリモコン受光装置側の端部に第１コネクタ３１を備え、リモコン受光装置１０はこの第１コネクタ３１に接続可能な受光側コネクタ１３を備えているので、リモコン受光装置１０の修理等の際にリモコン受光装置１０を電子機器本体２０から容易に取り外すことができ便利である。
【００５１】
（実施の形態２）
次に、実施の形態２について、図５に基づき説明する。
実施の形態１は、リモコンケーブル３０を制御部２２から直接的に導出するのではなく、コネクタにより制御部２２に接続するようにしたものである。なお、この実施の形態において実施の形態１と共通する構成要素には同一の符号を付しその説明を簡略化する。
【００５２】
このように構成するために、制御部２２にはリモコンケーブル３０を接続するための雌型のコネクタが取り付けられる。なお、このコネクタを本明細書においては内部コネクタ２８と称する。一方、リモコンケーブル３０は、リモコン受光装置側の端部には実施の形態１の場合と同様に第１コネクタ３１が取り付けられ、制御部側の端部には内部コネクタ２８に接続可能な第２コネクタ３２が取り付けられている。なお、第２コネクタ３２と内部コネクタ２８との接続は、電子機器本体２０の筐体２０ａの内部を開放した状態で行われる。
【００５３】
実施の形態２に係る投写型映像表示装置は以上のように構成されているので、実施の形態１に係る（１）〜（９）と同一の効果を奏することができるとともに、次の（１１）の効果を奏することができる。
【００５４】
（１１）リモコンケーブル３０は、制御部側の端部に第２コネクタ３２を備え、制御部２２はこの第２コネクタ３２に接続可能な内部コネクタ２８を備え、これらコネクタを介しリモコンケーブル３０が制御部２２に接続される。したがって、異なる長さのこのようなリモコンケーブル３０を準備しておくことにより、リモコン受光装置の取付位置に併せて必要長さのリモコンケーブル３０に容易に取り替えることができる。また、長さの異なるこのようなリモコンケーブル３０を接続することにより、電子機器本体２０の外部におけるリモコン受光装置１０の取付範囲を変更することができ、リモコン受光装置１０の取付の自由度を増すことができる。
【００５５】
（実施の形態３）
次に、実施の形態３について、図６に基づき説明する。
実施の形態３は、リモコン受光装置１０を受光装置取付部２３に収納するときに、リモコン受光装置１０の受光側コネクタ１３を制御部２２の内部コネクタ２８に直接接続できるようにするとともに、両者をリモコンケーブル３０により接続可能ともしたものである。なお、この実施の形態において、実施の形態１及び実施の形態２と共通する要素には同一の符号を付しその説明を簡略化する。
【００５６】
このために、実施の形態１において、リモコン受光装置１０の受光側コネクタ１３の差込部がリモコン受光装置１０の外側に突出するように取り付けられている。なお、この実施の形態における受光側コネクタ１３は、実施の形態１における受光側コネクタ１３と同様のものでよい。また、制御部２２の内部コネクタ２８は、実施の形態２と同様の雌型のコネクタとし、制御部２２から突出しないように設けられている。また、リモコンケーブル３０は、リモコン受光装置側の第１コネクタ３１を実施の形態１及び実施の形態２と同様に構成するとともに、制御部側の第２コネクタ３２を実施の形態２の場合と同様に構成している。したがって、コネクタの接続仕様を共通にすれば、実施の形態２と実施の形態３おけるリモコンケーブル３０は同一のものとすることができる。また、上記説明から理解できるように、受光側コネクタ１３と第１コネクタ３１との接続仕様と、第２コネクタ３２と内部コネクタ２８との接続仕様は、同一のものとされている。
【００５７】
実施の形態３は、このように構成されていることにより、図６（ａ）に示すように、リモコン受光装置１０を受光装置取付部２３に装着する場合は、リモコン受光装置１０の受光側コネクタ１３と、制御部２２の内部コネクタ２８とを直接接続している。なお、このような接続を可能とするために、受光装置取付部２３の奥側の壁面２３ａには、図示しないが受光側コネクタ１３を挿入するための挿入孔が設けられている。
【００５８】
また、リモコン受光装置１０を電子機器本体２０から取り外して使用するときは、図６（ｂ）のように受光側コネクタ１３と内部コネクタ２８との接続を解除し、図６（ｃ）のように、これらの間にリモコンケーブル３０を取り付ける。この場合においては、受光側コネクタ１３に対し、リモコンケーブル３０の第１コネクタ３１が接続されるとともに、制御部２２の内部コネクタ２８に対しリモコンケーブル３０の第２コネクタ３２が接続される。これにより、リモコン受光装置１０は、リモコンケーブル３０の長さに応じて取付可能範囲が定まり、この範囲内で自由に取付位置及び取付方向を選択することができる。
【００５９】
実施の形態３に係る投写型映像表示装置は、以上のように構成されているので、実施の形態１に係る（１）〜（７）及び（９）と同一の効果を奏することができるとともに、実施の形態２における（１１）の効果を奏することができる。また、実施の形態３に係る投写型映像表示装置は、次の（１２）の効果を奏することができる。
【００６０】
（１２）リモコン受光装置１０を受光装置取付部２３に装着する場合は、リモコン受光装置１０の受光側コネクタ１３と、制御部２２の内部コネクタ２８とが直接接続されるので、リモコン受光装置１０と制御部２２とを接続するリモコンケーブル３０を接続しておく必要がない。したがって、電子機器本体２０内にリモコンケーブル３０を収納するための収納部２４を設ける必要がない。
【００６１】
（実施の形態４）
次に実施の形態４について、図７に基づき説明する。
実施の形態４は、リモコン受光装置１０に代えてワイヤードリモコン４０を取付可能にしたものである。なお、この実施の形態において、実施の形態１と共通する要素には同一の符号を付しその説明を簡略化する。
【００６２】
このように構成するために、実施の形態１において、リモコンケーブル３０の第１コネクタ３１にワイヤードリモコンを接続可能にしている。したがって、この実施の形態に使用されるワイヤードリモコン４０は、そのケーブル接続用のコネクタ４１が、リモコンケーブル３０の第１コネクタ３１に接続可能に形成されている。また、ワイヤードリモコン４０のケーブル接続用のコネクタ４１は、リモコン受光装置１０における受光側コネクタ１３と同一の接続仕様とされている。このように構成することにより、リモコン受光装置１０をリモコンケーブル３０から取り外し、リモコンケーブル３０の第１コネクタ３１をワイヤードリモコン４０のコネクタ４１に接続することにより、ワイヤレスリモコン１０Ａによるリモコン操作に代えてワイヤードリモコン４０によるリモコン操作を行うことができる。
【００６３】
実施の形態４に係る投写型映像表示装置は以上のように構成されているので、実施の形態１に係る（１）〜（１０）と同一の効果を奏することができるとともに、次の（１３）の効果を奏することができる。
【００６４】
（１３）電子機器本体２０に対し、リモコンケーブル３０によりリモコン受光装置１０を接続可能とした投写型映像表示装置であって、リモコンケーブル３０のリモコン受光装置側の第１コネクタ３１がワイヤードリモコン４０を接続するためのコネクタを兼用するように構成されている。したがって、１個の第１コネクタ３１によりリモコン受光装置１０及びワイヤードリモコン４０とを接続することができる。
【００６５】
(実施の形態５)
次に、実施の形態５について、図８に基づき説明する。
実施の形態５は、実施の形態１において、リモコンケーブル３０に対し延長ケーブル５０を接続し、この延長ケーブル５０の先にリモコン受光装置１０を接続したものである。なお、この実施の形態において実施の形態１と共通する要素には同一の符号を付しその説明を簡略化する。
【００６６】
このように構成するために、延長ケーブル５０は、リモコン受光装置側の端部に、リモコンケーブル３０に取り付けられている第１コネクタ３１と同一接続仕様の内部コネクタ２８が取り付けられている。また、延長ケーブル５０は、リモコンケーブル側の端部に、リモコン受光装置１０に取り付けられている受光側コネクタ１３と同一接続仕様のコネクタ５２が取り付けられている。これにより、延長ケーブル５０をリモコンケーブル３０とリモコン受光装置１０との間に、自由自在に取り付けたり、取り外したりすることができる。
【００６７】
実施の形態５に係る投写型映像表示装置は以上のように構成されているので、実施の形態１に係る（１）〜（９）と同一の効果を奏することができるとともに、次の（１４）の効果を奏することができる。
【００６８】
（１４）リモコン受光装置１０とリモコンケーブル３０との間に延長ケーブル５０を自由自在に取り付けたり取り外したりすることができるので、必要に応じ延長ケーブル５０を取り付けて、リモコン受光装置１０の取付位置の選択範囲を拡大することができる。
【００６９】
（変形例）
本発明は、上記実施の形態において以下のように変更することもできる。
・上記各実施の形態は、従来一般の投写型映像表示装置として記載したものであるが、短焦点距離の投写レンズ２１ｆを用いた液晶投写型映像表示装置としてもよい。このような投写型映像表示装置は多様な取付態様で使用されるので、本発明を適用するとリモコン受光装置１０を最適の状態に取り付けることができ便利である。
【００７０】
・実施の形態１〜５において、強磁性体２６としてのステンレス板に代えて、板状の磁石とすることもできる。このように構成すれば、リモコン受光装置１０を電子機器本体２０により強力に取り付けることができる。
【００７１】
・実施の形態１〜５における係合突部２５は、リモコン受光装置１０を受光装置取付部２３の所定の位置に案内するとともに、取付強度を増すものであればよいので、図示のような係合突部２５以外の係合部として形成してよいことは勿論である。
【００７２】
・また、実施の形態１〜５において、雄型コネクタや雌型コネクタが用いられているが、これらコネクタは、その趣旨を変更しない範囲において雌型と雄型とを変更するようにしてもよい。
【００７３】
・実施の形態１、２、４、５において、リモコンケーブル３０の第１コネクタ３１とリモコン受光装置１０における受光側コネクタ１３との接続部を収容するためのスペース１５がリモコン受光装置１０に設けられている。このスペース１５は、リモコン受光装置１０を電子機器本体２０に取り付ける際に、これらコネクタを収容するために必要となるものである。したがって、このスペース１５は、電子機器本体２０に設けられてもよいし、リモコン受光装置１０及び電子機器本体２０に跨って設けられても何ら差し支えがない。
【００７４】
・実施の形態２において、ワイヤードリモコン４０を用いることができるようにしてもよい。このようにするには、ワイヤードリモコン４０のケーブル接続用のコネクタ４１をリモコンケーブル３０の第１コネクタ３１に接続可能に構成すればよい。
【００７５】
・実施の形態５において、ワイヤードリモコン４０を用いることができるようにしてもよい。このようにするには、ワイヤードリモコン４０のケーブル接続用のコネクタ４１をリモコンケーブル３０の第１コネクタ３１及び延長ケーブル５０の先端のコネクタ５１に接続可能に構成すればよい。
【００７６】
・実施の形態２及び３において、リモコンケーブル３０として長さの異なるもの複数を用意しておくことは好ましい。このようにすれば、リモコンケーブル３０として適切な長さのものを選択することにより、リモコン受光装置１０を適切な位置に取り付け易くなり、便利である。
【００７７】
・実施の形態２及び３において、実施の形態５と同様の延長ケーブルを用いることができる。また、リモコンケーブル３０の第２コネクタ３２と受光側コネクタ１３の接続仕様を同一とするとともに、リモコンケーブルの第１コネクタ３１と内部コネクタ２８の接続仕様を同一とすれば、リモコンケーブル３０の第２コネクタ３２と制御部２２の内部コネクタ２８との間に前記延長ケーブル５０を接続することもできる。これらのようにしても実施の形態５に係る（１４）の効果に準じた効果を奏することができる。また、これらの場合の延長ケーブル５０として長さの異なるものを用意しておくと、使用に際し適切な長さのものを選択することができるので便利である。
【００７８】
・また、この場合において、ワイヤードリモコン４０のケーブル接続用のコネクタ４１を延長ケーブル５０の先端のコネクタ５１に接続可能に構成して、延長ケーブル５０の先端のコネクタ５１にワイヤードリモコン４０を接続するようにしてもよい。
【００７９】
・実施の形態５においても、上記の場合と同様に、延長ケーブル５０として長さの異なるものを用意しておくと、使用に際し適切な長さのものを選択することができるので便利である。
【産業上の利用可能性】
【００８０】
本発明は、種々の投写型映像表示装置に適用できることは勿論のこと、他の種々の電子機器にも幅広く適用することができる。
【符号の説明】
【００８１】
１０…リモコン受光装置、１１…リモコン受光部、１２…信号増幅部、１３…受光側コネクタ、１５…スペース、１６…磁石、２０…電子機器本体、２１ｆ…投写レンズ、２２…制御部、２３…受光装置取付部、２３ａ…壁面、２４…収納部、２６…強磁性体、２８…内部コネクタ、３０…リモコンケーブル、３１…第１コネクタ、３２…第２コネクタ、４０…ワイヤードリモコン、４１，５１，５２…コネクタ、５０…延長ケーブル。
【図１】
2011107209.tif 000003
【図２】
2011107209.tif 000004
【図３】
2011107209.tif 000005
【図４】
2011107209.tif 000006
【図５】
2011107209.tif 000007
【図６】
2011107209.tif 000008
【図７】
2011107209.tif 000009
【図８】
2011107209.tif 000010